(57)【要約】【課題】  エアセルの上部と下部の層が完全に仕切られたエアマットレスであって、必要に応じてエアポンプの制御によりエアセル下部層の空気を抜き、上部層のみ空気が入った状態で厚みを約半分あるいは自在に変更できるように構成したエアマットレスを提供することにある。【解決手段】  ベースシート上に袋状のエアセル２０を複数本並設して形成したエアマットレスにおいて、前記エアセル２０は、その両側面のほぼ中央部間に渡り、且つ、長手方向端部まで水平に設けられている仕切板２７によって、上部層２０ａ及び下部層２０ｂとに分離した。エアセル上部層及び下部層の長手方向端部には、エアポンプによってエアセル内の空気量を調整するためのエアー吸排気口３０がそれぞれ設けられている。【選択図】      図２
0003115039.tif 000002
【実用新案登録請求の範囲】
【請求項１】
ベースシート上に袋状のエアセルを複数本並設して形成したエアマットレスにおいて、前記エアセルは、その両側面のほぼ中央部間に渡り、且つ、長手方向端部まで水平に設けられている仕切板によって、上部層及び下部層とに分離されていて、エアポンプの制御によりエアセルの厚みを可変自在に構成したことを特徴とするエアマットレス。
【請求項２】
前記エアセル上層部及び下層部の長手方向端部には、エアポンプによって前記エアセル内の空気量を調整するためのエアー吸排気口がそれぞれ設けられていることを特徴とする請求項１記載のエアマットレス。
【請求項３】
前記エアセルは、膨張状態において高さ寸法が幅寸法のほぼ２倍であることを特徴とする請求項１又は２記載のエアマットレス。
【考案の詳細な説明】
【技術分野】
【０００１】
本考案は、病人や寝たきり老人などが長期にわたって床に伏せた場合などに生じる褥瘡（床ずれ）を効果的に予防したり、また自立を支援したりすることのできるエアマットレスに関するものである。
【背景技術】
【０００２】
近年、養護施設や病院の看護あるいは介護の現場において、寝たきりの生活を余儀なくされる人々が人口の高齢化に伴って増加の一途をたどっている。このような看護あるいは介護の現場においては、ベッドに横たわった患者は持続的な圧迫を長時間にわたって受け続けることが多く、褥瘡発生の危険にさらされている。よって、従来より、このような褥瘡の発生予防あるいは発生した褥瘡の治癒を目的として、種々のエアマットレス（以下、単にエアマットあるいはマットレスということがある。）が開発されている。
【０００３】
例えば、図４に示すようなエアマットレス４０が知られている。このエアマットレス４０は、（ａ）に示すような袋状のエアセル４２を、図４（ｂ）に示すようなベースシート４４上に２０本ほど並べて配置し、これらのエアセル４２にエアポンプ（不図示）から適当な圧力のエアを送り込んで膨張させたものである。エアセル４２は、膨張させた状態で、中央部はほぼ円筒形になり、長手方向の先端部近傍が窄まっていて、その最先端部にはホック４２ａを有する三角形状の固定部材４２ｂが設けられていて、ベースシート４４上に取付固定するように構成されている。
そして、このようなエアマットレスを使用することで、寝ている患者等の身体にかかる圧力を軽減し、褥瘡の予防や治癒を図ろうとしている。
【０００４】
ところで、現在市販されている褥瘡予防用としてのエアマットレスは、厚みが約３ｃｍの薄いものから、約２０ｃｍと厚手のものまで幅広い。図４に示すような比較的薄いエアマットレスは、患者が底付き（ボトミング）を起こしてしまうことがある。また、体圧分散効果は、主に厚みに起因していることから、体圧分散効果を求めると厚みが大きいものとする必要がある。そこで、特許文献１に示すように、エアセルを固定セルと可変セルとを重ね合わせたものとして、下側の固定セルは常時膨張状態にして置き、上側の可変セルを所定時間毎に膨張収縮（波動）を行わせるようにしたものがある。しかしながら、可変セルを膨張収縮させない時には、常時膨張状態となっていて、患者が飲食時にギャッジアップしたりするときや寝返りをするときにマットレス上で動きにくいというデメリットが生じることが分かっている。
【０００５】
また、近年では、褥瘡を発生してから治療するのではなく、褥瘡を未然に防ぐという考えのもと、褥瘡を発生していない自立度の高い患者向けに薄型の体圧分散用具が使用されることがある。
【０００６】
【特許文献１】特開平８−１４６１６９号公報
【考案の開示】
【考案が解決しようとする課題】
【０００７】
褥瘡が発生した患者には、体圧分散能力の高い厚手の体圧分散用のエアマットレスが使用され、治療が行われることが多い。そして、褥瘡が完治した後は、リハビリテーションを行うが、その際には、厚手のマットレスからの離床は身体能力の低下した使用者には困難であることから、薄手のマットレスに交換されることが多い。
【０００８】
しかし、薄手のマットレスを使用中に体調が悪化し、褥瘡発生のリスクが向上した場合は、厚手のマットレスに戻されるが、このマットレス交換は、看護者及び介護者の大きな負担となり、また、２種類のマットレスを所有する必要があるといった問題が生じていた。
【０００９】
本考案の課題は、このような問題を解決するためになされたもので、エアセルの上部と下部の層が完全に仕切られたエアマットレスにして、必要に応じてエアセル下部層の空気を抜き、上部層のみ空気が入った状態で厚みを約半分に変更できるエアマットレスの提供を目的とするものである。
【課題を解決するための手段】
【００１０】
上記目的を達成するため、本考案は、次の技術的手段を講じている。
即ち、請求項１記載のエアマットレスは、ベースシート上に袋状のエアセルを複数本並設して形成したエアマットレスにおいて、前記エアセルは、その両側面のほぼ中央部間に渡り、且つ、長手方向端部まで水平に設けられている仕切板によって、上部層及び下部層とに分離されていて、エアポンプの制御によりエアセルの厚みを可変自在に構成したことを特徴としている。
【００１１】
また、請求項２記載のエアマットレスは、請求項１記載のエアマットレスにおいて、前記エアセル上部層及び下部層の長手方向端部には、エアポンプによって前記エアセル内の空気量を調整するためのエアー吸排気口がそれぞれ設けられていることを特徴としている。
【００１２】
請求項３記載のエアマットレスは、請求項１又は２記載の前記エアセルが、膨張状態において高さ寸法が幅寸法のほぼ２倍であることを特徴としている。
【考案の効果】
【００１３】
本考案に係るエアマットレスによると、前記エアセルの上部層と下部層を前記仕切版により完全に仕切ることができるため、必要に応じて前記エアセルの下部層の空気を抜くことにより、上部層のみに空気が入ったままの状態にすることができる。従って、使用目的や使用状況により前記エアマットレスの厚みを約半分に設定したり、再び元の厚さに戻したりといった変更が可能となる。
このため、使用する患者等の状態に応じて、厚さを切り換えたり、また飲食時に上半身を起き上がらせたりするときに好都合となり、一つのエアマットレスで介護と自立支援の両方を兼ねたものとなる。
【考案を実施するための最良の形態】
【００１４】
以下、図面を参照して本発明の実施の形態について説明する。
図１は、本発明の実施の形態であるエアマットレス１の平面図を示し、図２はエアマットレスを構成するエアセル単体の構造図を示し（ａ）は側面図、（ｂ）は（ａ）のＡ−Ａ線端面図、（ｃ）は斜視図を示し、そして図３（ａ）はエアセルの上部層と下部層とも膨張状態にあるエアマットレスの断面図で、（ｂ）は上部層のみ膨張状態にあるエアマットレスの断面図である。
【００１５】
エアマットレス１は、図１に示すように、ほぼ長方形のベースシート１０と、当該ベースシート１０上に並設された複数本のエアセル２０を有している。エアセル２０は、ポリウレタンフィルムを袋状に成形したもので、エアを注入した状態では、図２に示すように、縦断面がほぼ丸長方形となり、天面２１、底面２２、側面２３，２３による立体を形作っているとともに、長手方向の左右端面２４は側面２３，２３に対しほぼ垂直面として形成されている。また、この長手方向の左右端面２４の下部には、それぞれ三角形状の固定部材２５が取り付けられており、これら固定部材２５にはそれぞれホック２６が設けられている。
【００１６】
また、エアセル２０は、その内部の両側面中央部間に渡り、かつ長手方向端部まで水平に仕切板２７が設けられていて、エアを入れた時に縦断面を丸長方形状にすることができる。仮に、この仕切板２７がないとすると、エアセル２０はポリウレタンフィルムからなるので、エアを注入するとほぼ円筒状になり、幅に対して厚さ（高さ）の比率を高めることができない。仮に、身体のボトミングを防ぐためエアセルを厚くすると幅も広くなるので、必然的にエアマットレスに使用するエアセルの総数が少なくなり、患者の身体に接触する部分の面積が少なくなって、接触圧が高くなるということになる。
【００１７】
これに対し、仕切板２７を設けておけば、上方から圧力を加えても、仕切板２７があるため横方向（幅方向）に広がらないので、エアセル２０の幅の割には高さを高くすることができ、エアセル２０の内圧を下げ身体に対する接触圧を下げてもボトミングの心配がなくなる。
【００１８】
また、仕切板２７は、エアセル２０の長手方向端部まで水平に設けられているため、エアセル２０が上部層２０ａと下部層２０ｂに完全に仕切られることとなるため、必要に応じて下部層２０ｂのエアを抜き、上部層２０ａのみエアが入った状態にすることで、エアセル２０の厚みを約半分に変更することができる。この仕切板２７は、エアセル２０の外側を形成する部分と同じ材質であって、ポリウレタンフィルムが用いられており、外側とは高周波溶着によって接合されている。
【００１９】
なお、上記エアセル２０の上部層２０ａ及び下部層２０ｂそれぞれには内部にエアを注入したり、排出したりするためのエア吸排気口３０が設けられているため、上述のように必要に応じて下部層２０ｂのエアを容易に抜くことが可能である。なお、今回実施したエアセル２０は、上部層２０ａと下部層２０ｂとの両方が膨張状態にある時の高さは約１２ｃｍで、下部層２０ｂが収縮したときの高さは６ｃｍである。
【００２０】
次に、ベースシート１０について説明すると、ベースシート１０はナイロンオックスを用い、裏面に滑り止め加工を施しほぼ長方形に成形したもので、その長さはほぼ並設された２４本のエアセル２０の全体長に等しい。また、ベースシート１０には、Ω形状になるバンド１２が一列２４個で２列４８個が縫いつけられている。この中に、エアセル２０を通して、エア注入すると、このバンド１２によってエアセル２０の縦横方向への移動が規制される。
【００２１】
また、この２列に配置された左右のバンド１２の延長線上にあるベースシート１０の端部近傍に、ホックが複数個並設されている。エアセル２０の左右端部に設けられた固定部材２５のホック２６と、このホックとを止めてエアセルの長手方向の移動を規制している。
【００２２】
このエアセルの使用方法は、患者の状態に応じ、患者が自分で寝返り等を行えない状態の場合には、図３（ａ）に示すように、エアセル２０の上部層２０ａ及び下部層２０ｂともにエアを入れて膨張状態させることにより厚型モードにして、患者に対する接触圧を軽くして褥瘡の発生を予防し、患者がある程度自立できるような場合には、エアセル２０の下部層２０ｂのエアを抜いて収縮させて薄型モードにして、患者が動きやすいように自立支援を図っている。
【００２３】
また、他の使用方法として、厚型モードの場合、上部層２０ａを３系統に設定して、三連順次膨縮（エアセル３本のうち２本が膨張状態、１本が収縮状態を順次繰り返していく動作）させ、下部層２０ｂも同じく三連順次膨縮させてもよく、また上部層２０ａを同様に三連順次膨縮させ、下部層２０ｂは頭と足側を同一内圧にし腰部は高めの内圧にして、ベッド背上げ時の底付き防止と良寝姿勢保持を図ったものにしても良い。
更に上部層２０ａは同様に三連順次膨縮にして、下部層２０ｂは全体として内圧を調整して、底付き防止を図ったり、あるいは接触圧分散を図ったりすることもできる。
また薄型モードの場合でも、上部層２０ａを三連順次膨縮させるようにしてもよい。
【産業上の利用可能性】
【００２４】
本考案に係るエアマットレスは、必要に応じて下部層の空気を容易に抜くことができるため、厚手と薄手のマットレスをそれぞれ用意する必要が無くなり、また、マットレス交換という看護者や介護者の大きな負担を解消するのに好適なものと言える。
【図面の簡単な説明】
【００２５】
【図１】本発明に係るエアマットレスの実施形態の平面図である。
【図２】実施形態に用いるエアセルを示し、（ａ）は側面図、（ｂ）は（ａ）のＡ−Ａ線による端面図、（ｃ）は斜視図である。
【図３】（ａ）はエアセルの上部層と下部層ともにエアを入れた状態を示し、（ｂ）はエアセルの下部層からエアを抜いた状態を断面図で示す図である。
【図４】従来のエアマットを示す図で、（ａ）はエアセルの斜視図、（ｂ）はこのエアセルを用いたエアマットの斜視図である。
【符号の説明】
【００２６】
１      エアマットレス
１０    ベースシート
１２    バンド
２０    エアセル
２０ａ  上部層
２０ｂ  下部層
２４    長手方向端面
２３    側面
２５    固定部材
２６    ホック
２７    仕切板
３０    エア吸排気口
【図１】
0003115039.tif 000003
【図２】
0003115039.tif 000004
【図３】
0003115039.tif 000005
【図４】
0003115039.tif 000006